(57)【特許請求の範囲】
【請求項１】
切替電圧発生回路と、外部に設けられると共に少なくともＵＨＦ帯のテレビジョン信号の受信時に動作状態に切り替えられるＵＨＦ高周波増幅回路を介してＵＨＦ帯のテレビジョン信号が入力される第一の端子と、外部に設けられたＶＨＦ同調回路をＶＨＦ帯のローバンド又はハイバンドに同調するようにバンド切替するための第二の端子とを備え、前記切替電圧発生回路は前記ＵＨＦ高周波増幅回路の動作状態を切り替えるための切替電圧を発生する第一のスイッチ回路と、前記ＶＨＦ同調回路のバンドを切り替えるための切替電圧を発生する第二のスイッチ回路とを有し、前記第一のスイッチ回路の切替電圧を前記第一の端子に出力し、前記第二のスイッチ回路の切替電圧を前記第二の端子に出力したことを特徴とするチューナ用集積回路。
【請求項２】
エミッタ同士が互いに接続された第一の二つの発振トランジスタと、エミッタ同士が互いに接続された第二の二つの発振トランジスタと、エミッタ同士が互いに接続された第三の二つの発振トランジスタと、外部に設けられた第一の共振回路の一端が接続される第三の端子と、外部に設けられた第二の共振回路の両端がそれぞれ接続される第四、第五の端子と、外部に設けられた第三の共振回路の両端がそれぞれ接続される第六、第七の端子とを備え、前記第一の二つの発振トランジスタの一方のベースと他方のコレクタとをそれぞれ個別の結合コンデンサによって前記第三の端子に結合し、前記第二の二つの発振トランジスタの一方のベースと他方のコレクタとをそれぞれ個別の結合コンデンサによって前記第四の端子に結合し、前記第二の二つの発振トランジスタの他方のベースと一方のコレクタとをそれぞれ個別の結合コンデンサによって前記第五の端子に結合し、前記第三の二つの発振トランジスタの一方のベースと他方のコレクタとをそれぞれ個別の結合コンデンサによって前記第六の端子に結合し、前記第二の二つの発振トランジスタの他方のベースと一方のコレクタとをそれぞれ個別の結合コンデンサによって前記第七の端子に結合したことを特徴とする請求項１に記載のチューナ用集積回路。
【請求項３】
中間周波増幅回路と、中間周波信号を出力する第八の端子とを備え、前記中間周波増幅回路を平衡入力型及び不平衡出力型に構成し、前記中間周波増幅回路の出力端を前記第八の端子に接続したことを特徴とする請求項１又は２に記載のチューナ用集積回路。
【請求項４】
外部に設けられた中間周波同調回路の平衡出力端が接続される第九の端子を備え、前記中間周波同調回路は隣接するチャンネルの映像中間周波信号又は音声中間周波信号を減衰するトラップ回路を有すると共に、前記トラップ回路のトラップ周波数が切り替えられるように構成され、前記切替電圧発生回路には前記トラップ周波数を切り替えるための切替電圧を発生する第三のスイッチ回路を設け、前記第三のスイッチ回路の切替電圧を前記第九の端子に出力したことを特徴とする請求項１乃至３のいずれかに記載のチューナ用集積回路。
【請求項５】
アナログ・デジタル変換回路と、前記アナログ・デジタル変換回路にアナログ電圧を入力する第十の端子とを備え、前記切替電圧発生回路にはハイレベル又はローレベルの電圧を出力する第四のスイッチ回路と、前記第十の端子と前記第四のスイッチ回路との間に介挿された開閉手段とを設け、前記アナログ・デジタル変換回路を動作するときには前記開閉手段を開状態とし、前記第四のスイッチ回路を動作するときには前記開閉手段を閉状態にしたことを特徴とする請求項１乃至４のいずれかに記載のチューナ用集積回路。
【請求項６】
ＰＬＬ回路と、前記ＰＬＬ回路に基準信号を供給する基準発振回路と、外部に設けられた発振素子を前記基準発振回路に接続する第十一の端子とを設け前記第十一の端子の両側に高周波的に低電位となる端子を設けたことを特徴とする請求項１乃至５のいずれかに記載のチューナ用集積回路。
【発明の詳細な説明】
【０００１】
【発明の属する技術分野】
この発明は、テレビジョンチューナに使用するチューナ用集積回路に関する。
【０００２】
【従来の技術】
従来のチューナ用集積回路（以下、集積回路という）の回路構成及び端子配列と、その周辺回路との接続関係を図４に示す。従来の集積回路６０は図４に示す通り対向する二側辺にそれぞれ１６個の端子を有している（〇内の数字が端子番号（Ｎｏ．）を示す）。
【０００３】
Ｎｏ．１からＮｏ．１６までの端子が一方の側辺６０ａに設けられ、Ｎｏ．１７からＮｏ．３２までの端子が他方の側辺６０ｂに設けられる。また、内部には概略図示の通りの複数の回路が構成され、ＵＨＦ混合回路６１はその平衡入力端がＮｏ．３１、Ｎｏ．３２の端子に接続され、ＶＨＦ混合回路６２はその入力端がＮｏ．２９の端子に接続される。また、各混合回路６１、６２の平衡出力端はＮｏ．２６、Ｎｏ．２７の端子に接続される。
【０００４】
ＶＨＦ混合回路６２には二つの発振回路６３、６４から局部発振信号が供給される。ＶＨＦローバンド発振回路６３は差動型の二つの発振トランジスタ６３ａ、６３ｂを有し、一方の発振トランジスタ６３ａのベースがＮｏ．１の端子に接続され、他方の発振トランジスタ６３ｂのコレクタがＮｏ．２の端子に接続される。ＶＨＦハイバンド発振回路６４も差動型の二つの発振トランジスタ６４ａ、６４ｂを有し、一方の発振トランジスタ６４ａのベースがＮｏ．４の端子に接続され，他方の発振トランジスタ６４ｂのコレクタがＮｏ．５の端子に接続される。
【０００５】
ＵＨＦ混合回路６１にはＵＨＦ発振回路６５から局部発振信号が供給される。ＵＨＦ発振回路６５も差動型の二つの発振トランジスタ６５ａ、６５ｂを有し、一方の発振トランジスタ６４ａのベースがＮｏ．６の端子に接続され、そのコレクタはｎｏ．８の端子に接続される。また、他方の発振トランジスタ６５ｂのベースがＮｏ．９の端子に接続され、そのコレクタはＮｏ．７の端子に接続される。
【０００６】
Ｎｏ．１７乃至Ｎｏ．１９の端子にはテレビジョン受信機本体部（図示せず）から受信チャンネル選択用のデータ等が入力される。詳しくはＮｏ.１７の端子にはクロック信号が入力され、Ｎｏ.１８の端子にはチャンネル選択用のデータやバンド切替データが入力され、Ｎｏ.１９の端子にはアドレスデータが入力される。これらのデータはインターフェイス６６を介してＰＬＬ回路６７とバンド切替電圧発生回路６８とに入力される。ＰＬＬ回路６７には各発振回路６３、６４、６５から局部発振信号が入力される。ＰＬＬ回路６７から出力された誤差信号はローパスフィルタを有するチャージポンプ６９によって直流変換され、次いで同調電圧発生回路７０からＮｏ．１５の端子に同調電圧が出力される。また、ＰＬＬ回路６７には基準発振回路７１から基準信号が入力される。基準発振回路７１の発振子接続端はＮｏ．１６の端子に接続される。
【０００７】
切替電圧発生回路６８は内部に複数のスイッチ回路を有し、入力されたデータによってそれぞれがハイレベル又はローレベルの切替電圧を発生する。この切替電圧は受信するバンドの切替等に使用され、Ｎｏ．２０、Ｎｏ．２３乃至Ｎｏ．２５、Ｎｏ．３０の各端子に出力される。
中間周波増幅回路７２は平衡型に構成され、その二つの入力端はＮｏ．２１、Ｎｏ．２２の端子に接続され、出力端はＮｏ．１１、Ｎｏ．１２の端子に接続される。
また、Ｎｏ．３、Ｎｏ．１０、Ｎｏ．２８の端子は接地され、Ｎｏ．１３の端子には各回路に供給するための電源電圧Ｂが印加される。
【０００８】
集積回路６０に接続される周辺回路が外部に設けられる。ＵＨＦ帯のテレビジョン信号はＵＨＦ高周波増幅回路７３、ＵＨＦ同調回路７４を経てＮｏ．３１、Ｎｏ．３２の端子に平衡入力される。ＶＨＦ帯のテレビジョン信号はＶＨＦ同調回路７５を経てＮｏ．２９の端子に入力される。ＶＨＦ同調回路７５は内部にスイッチダイオード７５ａを有し、スイッチダイオードのオン又はオフによってローバンド又はハイバンドに同調するように切り替えられる。また、中間周波同調回路７６はその入力端がＮｏ．２６、Ｎｏ．２７の端子に接続され、出力端はＮｏ．２１、Ｎｏ．２２の端子に接続される。
【０００９】
ローバンド共振回路７７はバラクタダイオード７７ａを有すると共に、その一端がそれぞれ結合コンデンサ７８、７９を介してＮｏ．１、Ｎｏ．２の端子に結合され、他端は接地される。ハイバンド共振回路８０もバラクタダイオード８０ａを有し、その一端がそれぞれ結合コンデンサ８１、８２を介してＮｏ．４、Ｎｏ．５の端子に結合される。さらに、ＵＨＦ共振回路８３もバラクタダイオード８３ａを有し、その一端がそれぞれ結合コンデンサ８４、８５を介してＮｏ．６、Ｎｏ．７の端子に結合され。他端がそれぞれ結合コンデンサを介してＮｏ．８、Ｎｏ．９の端子に結合される。また、クリスタル共振子等の発振素子８８はＮｏ．１６の端子に接続される。
【００１０】
以上の構成において、Ｎｏ．１５の端子から出力される同調電圧は各共振回路７７、８０、８３のバラクタダイオード７７ａ、８０ａ、８３ａのカソードに印加され、各発振回路６３乃至６５はそれぞれの受信バンドに必要な周波数で発振する。また、Ｎｏ．２３とＮｏ．２４の端子から出力された切替電圧はＶＨＦ同調回路７５に印加され、スイッチダイオード７５ａをオン又はオフにする。オフの時はＶＨＦ同調回路７５がＶＨＦ帯のローバンドに同調し、オンのときはハイバンドに同調する。さらに、Ｎｏ．３０の端子から出力される切替電圧がＵＨＦ高周波増幅回路７３に印加される。ＵＨＦ帯のテレビジョン信号を受信するときには切替電圧がハイレベルとなってＵＨＦ高周波増幅回路７３を適正なバイアス状態として動作させ、ＶＨＦ帯のテレビジョン信号を受信するときにはローレベルとしてＵＨＦ高周波増幅回路７３の動作を停止する。
【００１１】
そして、以上のようにして各受信バンドに対応して各混合回路６１、６２から中間周波信号が出力され、中間周波同調回路７６、中間周波増幅回路７２を経てＮｏ．１１、Ｎｏ．１２の端子に平衡出力される。出力された中間周波信号ＩＦは図示しない復調回路等によって処理される。
【００１２】
【発明が解決しようとする課題】
以上説明した従来の集積回路では、発振回路に共振回路を結合するために多くの端子を使用している。また、バンド切替電圧発生回路から切替電圧を取り出す端子の数も多く、接地する端子の数も多くなっている。そのため、周辺回路との接続が煩雑になると共に、集積回路自体の小型化ができなかった。また、集積回路を使用するテレビジョンチューナの小型化もできなかった。
【００１３】
本発明は、集積回路内には必要な回路を構成すると共に、端子の数を減らすことを目的とする。
【００１４】
【課題を解決するための手段】
上記の課題を解決するため、本発明では、切替電圧発生回路と、外部に設けられると共に少なくともＵＨＦ帯のテレビジョン信号の受信時に動作状態に切り替えられるＵＨＦ高周波増幅回路を介してＵＨＦ帯のテレビジョン信号が入力される第一の端子と、外部に設けられたＶＨＦ同調回路をＶＨＦ帯のローバンド又はハイバンドに同調するようにバンド切替するための第二の端子とを備え、前記切替電圧発生回路は前記ＵＨＦ高周波増幅回路の動作状態を切り替えるための切替電圧を発生する第一のスイッチ回路と、前記ＶＨＦ同調回路のバンドを切り替えるための切替電圧を発生する第二のスイッチ回路とを有し、前記第一のスイッチ回路の切替電圧を前記第一の端子に出力し、前記第二のスイッチ回路の切替電圧を前記第二の端子に出力した。
【００１５】
また、エミッタ同士が互いに接続された第一の二つの発振トランジスタと、エミッタ同士が互いに接続された第二の二つの発振トランジスタと、エミッタ同士が互いに接続された第三の二つの発振トランジスタと、外部に設けられた第一の共振回路の一端が接続される第三の端子と、外部に設けられた第二の共振回路の両端がそれぞれ接続される第四、第五の端子と、外部に設けられた第三の共振回路の両端がそれぞれ接続される第六、第七の端子とを備え、前記第一の二つの発振トランジスタの一方のベースと他方のコレクタとをそれぞれ個別の結合コンデンサによって前記第三の端子に結合し、前記第二の二つの発振トランジスタの一方のベースと他方のコレクタとをそれぞれ個別の結合コンデンサによって前記第四の端子に結合し、前記第二の二つの発振トランジスタの他方のベースと一方のコレクタとをそれぞれ個別の結合コンデンサによって前記第五の端子に結合し、前記第三の二つの発振トランジスタの一方のベースと他方のコレクタとをそれぞれ個別の結合コンデンサによって前記第六の端子に結合し、前記第二の二つの発振トランジスタの他方のベースと一方のコレクタとをそれぞれ個別の結合コンデンサによって前記第七の端子に結合した。
【００１６】
また、中間周波増幅回路と、中間周波信号を出力する第八の端子とを備え、前記中間周波増幅回路を平衡入力型及び不平衡出力型に構成し、前記中間周波増幅回路の出力端を前記第八の端子に接続した。
【００１７】
また、外部に設けられた中間周波同調回路の平衡出力端が接続される第九の端子を備え、前記中間周波同調回路は隣接するチャンネルの映像中間周波信号又は音声中間周波信号を減衰するトラップ回路を有すると共に、前記トラップ回路のトラップ周波数が切り替えられるように構成され、前記切替電圧発生回路には前記トラップ周波数を切り替えるための切替電圧を発生する第三のスイッチ回路を設け、前記第三のスイッチ回路の切替電圧を前記第九の端子に出力した。
【００１８】
また、アナログ・デジタル変換回路と、前記アナログ・デジタル変換回路にアナログ電圧を入力する第十の端子とを備え、前記切替電圧発生回路にはハイレベル又はローレベルの電圧を出力する第四のスイッチ回路と、前記第十の端子と前記第四のスイッチ回路との間に介挿された開閉手段とを設け、前記アナログ・デジタル変換回路を動作するときには前記開閉手段を開状態とし、前記第四のスイッチ回路を動作するときには前記開閉手段を閉状態にした。
【００１９】
また、ＰＬＬ回路と、前記ＰＬＬ回路に基準信号を供給する基準発振回路と、外部に設けられた発振素子を前記基準発振回路に接続する第十一の端子とを設け前記第十一の端子の両側に高周波的に低電位となる端子を設けた。
【００２０】
【発明の実施の形態】
以下本発明のチューナ用集積回路について図１乃至図３に従って説明する。ここで、図１は本発明のチューナ用集積回路（以下、集積回路という）の回路構成及び端子配列と、その周辺回路との全体の接続関係を示し、図２及び図３は詳細な構成を示す。
【００２１】
本発明の集積回路１０は図１に示す通り、対向する二側辺にそれぞれ１２の端子を有している（〇内の数字が端子番号（Ｎｏ．）を示す）。
Ｎｏ．１からＮｏ．１２までの端子が一方の側辺１０ａに設けられ、Ｎｏ．１３からＮｏ．２４までの端子が他方の側辺１０ｂに設けられる。また、内部には概略図示の通りの複数の回路が構成される。ＵＨＦ混合回路１１はその平衡入力端が第一の端子であるＮｏ．２３の端子と、Ｎｏ．２４の端子に接続され、ＶＨＦ混合回路１２はその不平衡入力端がＮｏ．２２の端子に接続される。また、各混合回路１１、１２の平衡出力端はＮｏ．１９、Ｎｏ．２０の端子に接続される。
【００２２】
ＶＨＦ混合回路１２には二つの発振回路、即ちＶＨＦローバンド発振回路（以下、ローバンド発振回路という）１３、ＶＨＦハイバンド発振回路（以下、ハイバンド発振回路という）１４から局部発振信号が供給される。ローバンド発振回路１３は不平衡型であり、その共振回路結合端が第三の端子であるＮｏ．１の端子に接続される。また、ハイバンド発振回路１４は平衡型であり、その二つの共振回路結合端がそれぞれ第四の端子であるＮｏ．２の端子と第五の端子であるＮｏ．３の端子に接続される。ＵＨＦ混合回路１１にはＵＨＦ発振回路１５から局部発振信号が供給される。ＵＨＦ発振回路１５も平衡型であり、その二つの共振回路結合端がそれぞれ第六の端子であるＮｏ．４の端子と第七の端子であるＮｏ．５の端子に接続される。
【００２３】
Ｎｏ．１４乃至Ｎｏ．１６の端子にはテレビジョン受信機本体部（図示せず）から受信チャンネル選択用のデータ等が入力される。詳しくはＮｏ.１４の端子にはチャンネル選択用のデータやバンド切替データ等が入力され、Ｎｏ．１５の端子にはクロック信号が入力され、Ｎｏ.１６の端子にはアドレスデータが入力される。これらのデータはインターフェイス１６を介してＰＬＬ回路１７と切替電圧発生回路１８とに入力される。第十の端子であるＮｏ．１３の端子にはアナログ・デジタル変換回路（以下、Ａ／Ｄ変換回路という）１９が接続される。Ａ／Ｄ変換回路１９はインターフェイス１６との間でデータの送受を行う。
【００２４】
ＰＬＬ回路１７には受信チャンネル選択データと各発振回路１３、１４、１５から出力される局部発振信号とが入力される。ＰＬＬ回路１７から出力された誤差信号はローパスフィルタを有するチャージポンプ２０によって直流変換され、次いで同調電圧発生回路２１からＮｏ．１０の端子に同調電圧が出力される。また、ＰＬＬ回路１７には基準発振回路２２から基準信号が入力される。基準発振回路２２の共振素子接続端は第十一の端子であるＮｏ．７の端子に接続される。
【００２５】
切替電圧発生回路１８は内部に複数のスイッチ回路を有し、入力されたバンド切替データによってそれぞれがハイレベル又はローレベルの切替電圧を発生する。この切替電圧は受信するバンドの切替等に使用され、第十の端子（Ｎｏ．１３）、第二の端子（Ｎｏ．１７）、第九の端子（Ｎｏ．１８）、第一の端子（Ｎｏ．２３）の各端子に出力される。
中間周波増幅回路２３は平衡入力型、不平衡出力型に構成され、その入力端の一方はＮｏ．１１の端子に接続され、他方の入力端は第八の端子であるＮｏ１８の端子に接続される。
なお、Ｎｏ．６、Ｎｏ．２１の端子は接地され、Ｎｏ．８の端子には各回路に供給するための電源電圧Ｂが印加される。
【００２６】
集積回路１０には外部に設けられた周辺回路が接続される。ＵＨＦ帯のテレビジョン信号はＵＨＦ高周波増幅回路２４、ＵＨＦ同調回路２５等を経て第一の端子（Ｎｏ．２３）と、Ｎｏ．２４の端子に平衡入力される。この際、ＵＨＦ高周波増幅回路２４には第一の端子（Ｎｏ．２３）に現れた切替電圧によって動作するように制御される。ＶＨＦ帯のテレビジョン信号はＶＨＦ同調回路２６を経てＮｏ．２２の端子に入力される。ＶＨＦ同調回路２６は入力同調回路や段間同調回路を含む意味であり、内部にスイッチダイオード２６ａを有する。スイッチダイオード２６ａは第二の端子（Ｎｏ．１７）から出力される切替電圧によってオン又はオフに切り替えられ、それによって、ＶＨＦ同調回路２６はＶＨＦ帯のローバンド又はハイバンドに同調するように切り替えられる。また、中間周波同調回路２７は平衡型であり、その入力端がＮｏ．１９、Ｎｏ．２０の端子に接続され、出力端の一方は第九の端子（Ｎｏ．１８）に接続され、他方はＮｏ．１１の端子に接続される（Ａで示す）。
【００２７】
第一の共振回路２８はＶＨＦ帯のローバンド受信時に使用され、その一端が第三の端子（Ｎｏ．１）に結合され、他端は接地される。第二の共振回路２９はＶＨＦ帯のハイバンド受信時に使用され、その一端が第四の端子（Ｎｏ．２）に接続され、他端は第五の端子（Ｎｏ．３）に結合される。さらに、第三の共振回路３０はＵＨＦバンドの受信時に使用され、その一端が第六の端子（Ｎｏ．４）に接続され、他端は第七の端子（Ｎｏ．５）に結合される。各共振回路２８、２９、３０には共振周波数を変えるためのバラクタダイオードが設けられている。バラクタダイオードにはＮｏ．１０から同調電圧が印加される。Ｎｏ．１０の端子にはプルアップ抵抗３２を介して高い電圧（同調電圧の最高値よりも高い）Ｖが印加される。また、クリスタル共振子等の共振素子３１は第十一の端子（Ｎｏ．７）に接続される。従って、共振素子３１が接続される第七の端子（Ｎｏ．７）の両側には高周波的に接地されているＮｏ．６とＮｏ．８の低電位の端子が配置されることになり、第十一の端子（Ｎｏ．７）に現れる基準信号の放射はＮｏ．６とＮｏ．８の端子によって阻止できる効果が得られる。
【００２８】
以上の構成において、ＵＨＦ帯のテレビジョン信号又はＶＨＦ帯のテレビジョン信号はそれぞれＵＨＦ混合回路１１、ＶＨＦ混合回路１２によって中間周波信号に変換され、中間周波信号は中間周波同調回路２７、中間周波増幅回路２３を経て第八の端子（Ｎｏ．１２）の端子に不平衡出力される。出力された中間周波信号ＩＦは図示しない復調回路等によって処理される。
【００２９】
ここで、各発振回路１３乃至１５と各共振回路２８乃至３０との具体的な構成と、関連する他の回路との接続関係を図２によって説明する。ローバンド発振回路１３はエミッタ同士が接続された差動型の第一の二つの発振トランジスタ１３ａ、１３ｂを有し、一方の発振トランジスタ１３ａのベースと他方の発振トランジスタ１３ｂのコレクタとが共振回路結合端となり、それぞれ結合コンデンサ１３ｃ、１３ｄを介して第三の端子（Ｎｏ．１）に結合される。他方の発振トランジスタ１３ｂのベースは高周波的に接地される。また、第三の端子（Ｎｏ．１）にはダイオード１３ｅのカソードが接続され、アノードは接地される。
【００３０】
ハイバンド発振回路１４もエミッタ同士が接続された差動型の第二の二つの発振トランジスタ１４ａ、１４ｂを有し、一方の発振トランジスタ１４ａのベースと他方の発振トランジスタ１４ｂのコレクタとが一方の共振回路結合端となり、それぞれ結合コンデンサ１４ｃ、１４ｄを介して第四の端子（Ｎｏ．２）に接続される。また、他方の発振トランジスタ１４ｂのベースと一方の発振トランジスタ１４ａのコレクタとが他方の共振回路結合端となり、それぞれ結合コンデンサ１４ｆ、１４ｅを介して第五の端子（Ｎｏ．３）に結合される。また、第四の端子（Ｎｏ．２）にはダイオード１４ｇのカソードが接続され、アノードは接地される。第五の端子（Ｎｏ．３）にはダイオード１４ｈのカソードが接続され、アノードは接地される。
【００３１】
さらに、ＵＨＦ発振回路１５もエミッタ同士が接続された差動型の第三の二つの発振トランジスタ１５ａ、１５ｂを有し、一方の発振トランジスタ１５ａのベースと他方の発振トランジスタ１５ｂのコレクタとが一方の共振回路結合端となり、それぞれ結合コンデンサ１５ｃ、１５ｄを介して第六の端子（Ｎｏ．４）に接続される。また、他方の発振トランジスタ１５ｂのベースと一方の発振トランジスタ１５ａのコレクタとが他方の共振回路結合端となり、それぞれ結合コンデンサ１５ｆ、１５ｅを介して第七の端子（Ｎｏ．５）に結合される。また、第六の端子（Ｎｏ．４）にはダイオード１５ｇのカソードが接続され、アノードは接地される。第七の端子（Ｎｏ．５）にはダイオード１５ｈのカソードが接続され、アノードは接地される。
【００３２】
以上のように、各発振回路の共振回路結合端がそれぞれ結合コンデンサを介して各端子に接続されるので、端子数は大幅に少なくなる。
【００３３】
第一の共振回路２８、第二の共振回路２９、第三の共振回路３０のそれぞれ設けられたバラクタダイオード２８ａ、２９ａ３０ａのカソードはＮｏ．１０の端子に接続される。
【００３４】
チャージポンプ２０から直流電圧が入力される同調電圧発生回路２１はジャンクションＦＥＴ２１ａと、ＮＰＮトランジスタ２１ｂとを有し、ジャンクションＦＥＴ２１ａのドレインが抵抗２１ｃによってＮｏ．１０の端子に接続され、ソースはＮＰＮトランジスタ２１ｂのコレクタに接続される。ジャンクションＦＥＴ２１ａとＮＰＮトランジスタ２１ｂとは可変抵抗手段として機能する。そしてＮＰＮトランジスタ２１ｂのエミッタは抵抗２１ｄによって接地される。
【００３５】
同調電圧発生回路２１とプルアップ抵抗３２とのインピーダンス比はチャージポンプ２０から出力される電圧によって変化し、Ｎｏ．１０の端子にはほぼ２ボルトから２５ボルトの範囲の同調電圧が発生する。この電圧が各バラクタダイオード２８ａ、２９ａ、３０ａに印加されてる。
【００３６】
ジャンクションＦＥＴ２１ａとＮＰＮトランジスタ２１ｂとの接続点と各共振回路１３、１４、１５にそれぞれ設けたダイオード１３ｅ、１４ｈ、１５ｈのカソードとの間には温度補償回路４１が設けられる（図１には図示しなかった）。温度補償回路４１はジャンクションＦＥＴ４１ａと、そのドレインとＮｏ．８の端子との間に直列に接続された二つの抵抗４１ｂ、４１ｃとかなり、ジャンクションＦＥＴ４１ａのソースは同調電圧発生回路２１におけるＮＰＮトランジスタ２１ｂのコレクタに接続される。ジャンクションＦＥＴ４１ａは可変抵抗手段として機能する。そして、二つの抵抗４１ｂ、４１ｃの接続点には電源電圧を分圧した電圧（ここでは、温度補償電圧という）が現れ、此がそれぞれ抵抗１３ｆ、１４ｉ、１５ｉを介してダイオード１３ｅ、１４ｈ、１５ｈのカソードに印加される。
【００３７】
以上の構成において、各バラクタダイオード２８ａ、２９ａ、３０ａや各ダイオード１３ｅ、１４ｈ、１５ｈの容量値は正の温度係数を有し、温度が上昇すると容量値が増加する。従って発振周波数が低い方に変化する。すると、ＰＬＬ回路１７の作用によりチャージポンプ２０から同調電圧発生回路２１のＮＰＮトランジスタ２１ｂに入力されている電圧が下がり、ＮＰＮトランジスタ２１ｂのコレクタとエミッタとの間の電圧が大きくなり、Ｎｏ．１０の端子に現れる同調電圧も上昇し、発振周波数を元に戻すように働く。このとき、温度補償回路４１における二つの抵抗４１ｂ、４１ｃの接続点の電圧も上昇する。従って、ダイオード１３ｅ、１４ｈ、１５ｈのカソードに印加されている電圧は従来よりも高くなる。
【００３８】
一般にダイオードの端子間容量値は逆バイアス電圧が大きくなると減少するので、各ダイオード１３ｅ、１４ｈ、１５ｈによっても発振周波数の変化を抑える効果が生じる。従って、変化した発振周波数を元に戻すための同調電圧の変化は少なくて済むことになる。
【００３９】
次に、切替電圧発生回路１８とその切替電圧が印加されれる他の回路との具体的な接続関係を図３によって説明する。
先ず、集積回路１０内の切替電圧発生回路１８は内部にトランジスタ（この例ではいずれもＮＰＮトランジス）からなるスイッチ回路１８ａ乃至１８ｅを有し、第一のスイッチ回路１８ａにおけるトランジスタのエミッタは第一の端子（Ｎｏ．２３）に接続されると共に、抵抗を介して接地される。トランジスタ１８ｂのベースは第一のスイッチ回路１８ａにおけるトランジスタのベースに接続され、コレクタは第二のスイッチ回路１８ｃにおけるランジスタのコレクタに接続され、エミッタは接地される。
【００４０】
また、第二のスイッチ回路１８ｃにおけるトランジスタのコレクタは第二の端子（Ｎｏ．１７）に接続され、エミッタは接地される。第三のスイッチ回路１８ｄにおけるトランジスタのエミッタは第九の端子（Ｎｏ．１８）に接続されと共に、抵抗を介して接地される。第四のスイッチ回路１８ｅにおけるトランジスタのコレクタは開閉手段１８ｆを介して第十の端子（Ｎｏ．１３）に接続され、エミッタは接地される。開閉手段１８ｆの構成は詳述しないが別のスイッチトランジスタ等によって構成できる。そして、スイッチ回路１８ａ、１８ｄにおける各トランジスタのコレクタはＮｏ．８の端子に接続される。各ベースにはインターフェイス１６からオン／オフ制御信号が入力される。開閉手段１８ｆの開閉もインターフェイス１６によって制御される。
【００４１】
次に、Ａ／Ｄ変換回路１９にはＮｏ．８の端子から抵抗５１を介して電源電圧が供給され、この抵抗５１を介して第十の端子（Ｎｏ．１３）がＮｏ．８の端子に接続される。Ａ／Ｄ変換回路１９の動作／非動作はインターフェイス１６によって制御される。また、第九の端子（Ｎｏ．１８）とＮｏ．１９の端子はコンデンサ５２によって互いに結合される。また、Ｎｏ．１８の端子と中間周波増幅回路２３の他方の入力端との間には直流カット用のコンデンサ５３が介挿される。さらに、第九の端子（Ｎｏ．１８）にはＮｏ．８の端子から抵抗５４を介して電源電圧が給電される。
【００４２】
ＵＨＦ高周波増幅回路２４はＦＥＴ（電界効果トランジスタ）で構成され、その第一ゲートにＵＨＦ帯のテレビジョン信号が入力される。増幅されたテレビジョン信号はＵＨＦ同調回路２５を経て第一の端子（Ｎｏ．２３）に入力されると共に、位相反転用のインダクタンス素子５５を介してＮｏ．２４の端子に入力される。よって、第一の端子（Ｎｏ．２３）とＮｏ．２４の端子との間にはテレビジョン信号が平衡入力される。また、第一ゲートは共振用インダクタンス素子５６の一端が接続され、その他端は抵抗５７によって接地される。そして、共振用インダクタンス素子５６と抵抗５７との接続点が抵抗５８によってＮｏ．２４の端子に接続される。
【００４３】
ＶＨＦ同調回路２６内のスイッチダイオード２６ａのアノードには電源電圧が給電されており、そのカソードは第二の端子（Ｎｏ．１７）に直流的に接続される。
また、中間周波同調回路２７は  Ｎｏ．１９、Ｎｏ．２０の端子から中間周波信号が両端に入力される並列同調回路２７ａと、並列同調回路２７の一端とＮｏ．１１の端子との間に介挿された第一のトラップ回路２７ｂと、他端と第九の端子（Ｎｏ．１８）との間に介挿された第二のトラップ回路２７ｃとを有する。第二のトラップ回路２７ｃにはバラクタダイオードＤｖが設けられ、そのカソードには電源電圧が印加される。また、アノードは第九の端子（Ｎｏ．１８）に接続される。よって第二のトラップ回路２７ｃ内のバラクタダイオードＤｖにはコンデンサ５２が並列に接続される。これらのトラップ回路２７ｂ、２７ｃは中間周波数帯における一方の隣接チャンネルの映像中間周波信号を減衰し、他方の隣接チャンネルの音声中間周波信号を減衰するものである。
【００４４】
以上の構成において、ＶＨＦ帯のローバンドのテレビジョン信号を受信する場合には、第一乃至第三のスイッチ回路１８ａ、１８ｂ、１８ｃの各トランジスタがオフとされる。すると、第一の端子（Ｎｏ．２３）の切替電圧はローレベルとなり、ＵＨＦ高周波増幅回路２４は第一ゲートにバイアス電圧が印加されないので動作しない。一方、第二の端子（Ｎｏ．１７）の切替電圧はハイレベルとなるので、ＶＨＦ同調回路２６はスイッチダイオード２６ａがオフとなってローバンドに同調する。また、ハイバンドのテレビジョン信号を受信する場合には第一のスイッチ回路１８ａのトランジスタとトランジスタ１８ｂがオフにされ、第二のスイッチ回路１８ｃのトランジスタがオンにされる。すると、第二の端子（Ｎｏ．１７）の切替電圧はローレベルとなり、ＶＨＦ同調回路２６はスイッチダイオード２６ａがオンとなるのでハイバンドに同調する。また、ＵＨＦ帯のテレビジョン信号を受信する場合には第一のスイッチ回路１８ａのトランジスタとトランジスタ１８ｂがオンとされ、第二のスイッチ回路１８ｃのトランジスタがオフとされる。すると、第一の端子（Ｎｏ．２３）の切替電圧はハイレベルとなり、ＵＨＦ高周波増幅回路２４は第一ゲートにバイアス電圧が印加されて動作する。
【００４５】
よって、第一の端子（Ｎｏ．２３）はＵＨＦ帯のテレビジョン信号の入力端子としてのみならず、ＵＨＦ高周波増幅回路２４の動作を切り替えるためのスイッチ回路１８ａ用の切替電圧の出力端子として共用される。
さらに、第二の端子（Ｎｏ．１７）の切替電圧だけでＶＨＦ同調回路２６の同調周波数バンドを切り替えることができる。
従って、受信バンドの切替のための切替電圧を出力する端子が少なくできる。
【００４６】
一方、第九の端子（Ｎｏ．１８）の切替電圧は第三のスイッチ回路１８ｄにおけるトランジスタのオン又はオフによってハイレベル又はローレベルに変化する。それに対応して第二のトラップ回路２７ｃにおけるバラクタダイオードＤｖの容量値が変化してトラップ周波数が高低に変化する。したがって、映像中間周波数と音声中間周波数との差が異なる二つの方式のテレビジョン信号に対応して適正なトラップ周波数を選べる。よって、中間周波信号が入力される第九の端子（Ｎｏ．１８）を第三のスイッチ回路１８ｄの切替電圧出力端子として使用できるので、端子を増やさなくてもトラップ周波数を変えられる。
【００４７】
また、開閉手段１８ｆを閉状態にしたときは第四のスイッチ回路１８ｅの切替電圧を第十の端子（Ｎｏ．１３）に出力できる。開閉手段１８ｆを開状態にして第十の端子（Ｎｏ．１３）にＡＦＴ（自動微同調）電圧等のアナログ電圧を入力すれば、Ａ／Ｄ変換回路１９からデジタル信号を出力してインターフェイス１６に送ることができる。デジタル信号はインターフェイス１６からＰＬＬ回路１７に送られ、ＰＬＬ回路１７によって各発振回路１３、１４、１５の発振周波数が制御される。よって、第十の端子（Ｎｏ．１３）はアナログ電圧の入力端子としてのみならず、第四のスイッチ回路１８ｅの切替電圧の出力端子としても共用できる。
【００４８】
【発明の効果】
以上説明したように、本発明は、外部に設けられると共に少なくともＵＨＦ帯のテレビジョン信号の受信時に動作状態に切り替えられるＵＨＦ高周波増幅回路を介してＵＨＦ帯のテレビジョン信号が入力される第一の端子と、外部に設けられたＶＨＦ同調回路をＶＨＦ帯のローバンド又はハイバンドに同調するようにバンド切替するための第二の端子とを備え、切替電圧発生回路はＵＨＦ高周波増幅回路の動作状態を切り替えるための切替電圧を発生する第一のスイッチ回路と、ＶＨＦ同調回路のバンドを切り替えるための切替電圧を発生する第二のスイッチ回路とを有し、第一のスイッチ回路の切替電圧を第一の端子に出力し、第二のスイッチ回路の切替電圧を第二の端子に出力したので、端子の数を少なくしてもＶＨＦ帯のローバンドとハイバンドとＵＨＦバンドを受信できる。
【００４９】
また、外部に設けられた第一の共振回路の一端が接続される第三の端子と、外部に設けられた第二の共振回路の両端がそれぞれ接続される第四、第五の端子と、外部に設けられた第三の共振回路の両端がそれぞれ接続される第六、第七の端子とを備え、第一の二つの発振トランジスタの一方のベースと他方のコレクタとをそれぞれ個別の結合コンデンサによって第三の端子に結合し、第二の二つの発振トランジスタの一方のベースと他方のコレクタとをそれぞれ個別の結合コンデンサによって第四の端子に結合し、第二の二つの発振トランジスタの他方のベースと一方のコレクタとをそれぞれ個別の結合コンデンサによって第五の端子に結合し、第三の二つの発振トランジスタの一方のベースと他方のコレクタとをそれぞれ個別の結合コンデンサによって第六の端子に結合し、第二の二つの発振トランジスタの他方のベースと一方のコレクタとをそれぞれ個別の結合コンデンサによって第七の端子に結合したので、３つの発振回路を構成するための端子の数を少なくできる。
【００５０】
また、中間周波増幅回路と、中間周波信号を出力する第八の端子とを備え、中間周波増幅回路を平衡入力型及び不平衡出力型に構成し、中間周波増幅回路の出力端を第八の端子に接続したので、端子の数を少なくできる。
【００５１】
また、外部に設けられ中間周波同調回路の平衡出力端が接続される第九の端子を備え、中間周波同調回路は隣接するチャンネルの映像中間周波信号又は音声中間周波信号を減衰するトラップ回路を有すると共に、トラップ回路のトラップ周波数が切り替えられるように構成され、切替電圧発生回路にはトラップ周波数を切り替えるための切替電圧を発生する第三のスイッチ回路を設け、第三のスイッチ回路の切替電圧を第九の端子に出力したので、端子の数を増やすことなくトラップ周波数を切り替えられる。
【００５２】
また、アナログ・デジタル変換回路と、アナログ・デジタル変換回路にアナログ電圧を入力する第十の端子とを備え、切替電圧発生回路にはハイレベル又はローレベルの電圧を出力する第四のスイッチ回路と、第十の端子と第四のスイッチ回路との間に介挿された開閉手段とを設け、アナログ、・デジタル変換回路を動作するときには開閉手段を開状態とし、第四のスイッチ回路を動作するときには開閉手段を閉状態にしたので、一つの端子をアナログ電圧の入力端子と切替電圧の出力端子に共用できる。
【００５３】
また、ＰＬＬ回路と、ＰＬＬ回路に基準信号を供給する基準発振回路と、外部に設けられた発振素子を基準発振回路に接続する第十一の端子とを設け第十一の端子の両側に高周波的に低電位となる端子を設けたので、第十一の端子に現れる基準信号の放射は両側の端子によって阻止できる効果が得られる。
【図面の簡単な説明】
【図１】本発明の本発明のチューナ用集積回路の構成を示すブロック図である。
【図２】本発明の本発明のチューナ用集積回路における発振回路とその周辺回路との詳細な接続図である。
【図３】本発明の本発明のチューナ用集積回路におけるバンド切替電圧発生回路とその周辺回路との詳細な接続図である。
【図４】従来のチューナ用集積回路の構成を示すブロック図である。
【符号の説明】
１０  集積回路
１０ａ、１０ｂ  側辺
１１  ＵＨＦ混合回路
１２  ＶＨＦ混合回路
１３  ＶＨＦローバンド発振回路
ｉ３ａ、１３ｂ  発振トランジスタ
１３ｃ、１３ｄ  結合コンデンサ
１３ｅ  ダイオード
１３ｆ  抵抗
１４  ＶＨＦハイバンド発振回路
１４ａ、１４ｂ  発振トランジスタ
１４ｃ、１４ｄ、１４ｅ、１４ｆ  結合コンデンサ
１４ｇ、１４ｈ  ダイオード
１４ｉ  抵抗
１５  ＵＨＦ発振回路
１５ａ、１５ｂ  発振トランジスタ
１５ｃ、１５ｄ、１５ｅ、１５ｆ  結合コンデンサ
１５ｇ、１５ｈ  ダイオード
１５ｉ  抵抗
１６  インターフェイス
１７  ＰＬＬ回路
１８  切替電圧発生回路
１８ａ  第一のスイッチ回路
１８ｂ  トランジスタ
１８ｃ  第二のスイッチ回路
１８ｄ  第三のスイッチ回路
１８ｅ  第四のスイッチ回路
１８ｆ  開閉手段
１９  アナログ・デジタル変換回路
２０  チャージポンプ
２１  同調電圧発生回路
２１ａ  ジャンクションＦＥＴ
２１ｂ  ＮＰＮトランジスタ
２１ｃ、２１ｄ  抵抗
２２  基準発振回路
２３  中間周波増幅回路
２４  ＵＨＦ高周波増幅回路
２５  ＵＨＦ同調回路
２６  ＶＨＦ同調回路
２７  中間周波同調回路
２８  第一の共振回路
２８ａ  バラクタダイオード
２９  第二の共振回路
２９ａ  バラクタダイオード
３０  第三の振回路
３０ａ  バラクタダイオード
３１  共振子
３２  プルアップ抵抗
４１  温度補償回路
４１ａ  ジャンクションＦＥＴ
４１ｂ、４１ｃ  抵抗
５１、５４、５７、５８  抵抗
５２、５３  コンデンサ
５５、５６  インダクタンス素子
Ｎｏ．２３  第一の端子
Ｎｏ．１７  第二の端子
Ｎｏ．１  第三の端子
Ｎｏ．２  第四の端子
Ｎｏ．３  第五の端子
Ｎｏ．４  第六の端子
Ｎｏ．５  第七の端子
Ｎｏ．１２  第八の端子
Ｎｏ．１８  第九の端子
Ｎｏ．１３  第十の端子
Ｎｏ．７  第十一の端子
【図１】
0003924177.tif 000002
【図２】
0003924177.tif 000003
【図３】
0003924177.tif 000004
【図４】
0003924177.tif 000005